(57)【特許請求の範囲】
【請求項１】
直流電源から二次電池に充電電流を供給する充電器において、二次電池の電池電圧を検出する電圧検出手段を有し該電圧検出手段の検出値から二次電池の異常を検出する異常検出部と、異常検出部の検出結果に基づいて二次電池への充電動作を制御する充電制御部と、正常な二次電池を充電する際に二次電池の両極間に発生する電圧よりも低く、且つ、両極間がショート状態となった二次電池が取り付けられた際に二次電池の両極間に発生する電圧よりも高い所定の検出用電圧を二次電池の両極間に印加する検出用電圧印加部とを備えて成ることを特徴とする充電器。
【請求項２】
上記充電制御部の動作電圧を生成する制御用電源部を備え、上記検出用電圧印加部は、制御用電源部の出力端と二次電池の正極が接続される接続端子との間に接続されたインピーダンス素子と制御用電源部側に電流が流れるのを防止する逆流防止素子との直列回路から構成されることを特徴とする請求項１記載の充電器。
【請求項３】
上記逆流防止素子は直列接続された複数個のダイオードからなることを特徴とする請求項２記載の充電器。
【請求項４】
二次電池の異常状態を表示する異常状態表示部を設けたことを特徴とする請求項１記載の充電器。
【発明の詳細な説明】
【０００１】
【発明の属する技術分野】
本発明は、二次電池を充電する充電器に関するものである。
【０００２】
【従来の技術】
従来の充電器の回路図を図２に示す。本回路は、所定電圧の交流電圧を発生するインバータ回路１と、インバータ回路１の出力端間に一次巻線ｎ１が接続されるトランスＴ１と、トランスＴ１の二次巻線ｎ２に発生する電圧を整流、平滑して所定電圧の直流電圧を発生する充電用電源回路２と、充電用電源回路２の発生した直流電圧により二次電池Ｂを充電する充電回路３と、トランスＴ１の二次巻線ｎ３に発生する電圧を整流、平滑して一定電圧（例えば約５Ｖ）の直流電圧を発生する制御用電源回路４と、制御用電源回路４から電源供給されて充電回路３の充電動作を制御する制御回路５とで構成される。
【０００３】
ここで、充電用電源回路２は、トランスＴ１の二次巻線ｎ２の一端にアノードが接続されたダイオードＤ１と、ダイオードＤ１のカソードと二次巻線ｎ２の他端との間に接続されたコンデンサＣ１とで構成され、二次巻線ｎ２に発生する電圧をダイオードＤ１で整流した後、コンデンサＣ１で平滑して所定電圧の直流電圧を発生する。
【０００４】
充電回路３は、ダイオードＤ１及びコンデンサＣ１の接続点にコレクタが接続されたＮＰＮ型のトランジスタＱ１と、トランジスタＱ１のエミッタにアノードが接続されると共に、二次電池Ｂの正極が接続される充電端子ｔ１にカソードが接続される逆流防止用のダイオードＤ２とを備えており、二次電池Ｂの負極が接続される充電端子ｔ２は電流検出用の抵抗Ｒ４を介してコンデンサＣ１の負極側の端子に接続されている。トランジスタＱ１のベースは抵抗を介して後述するＣＰＵ６の出力端子に接続されており、ＣＰＵ６からの出力信号Ｓ１のハイ／ローに応じてオン・オフされる。
【０００５】
制御用電源回路４は、トランスＴ１の二次巻線ｎ３の一端にアノードが接続されるダイオードＤ３と、ダイオードＤ３のカソードと二次巻線ｎ３の他端との間に接続されたコンデンサＣ２と、入力端子間にコンデンサＣ２が接続された三端子レギュレータＩＣ１とを備え、二次巻線ｎ３に発生する電圧をダイオードＤ３で整流した後、コンデンサＣ２で平滑し、さらに三端子レギュレータＩＣ１で一定電圧（約５Ｖ）に安定化して制御回路５に電源供給する。
【０００６】
制御回路５は、充電回路３の充電動作を制御するＣＰＵ６と、二次電池Ｂの電池電圧ＶＢや充電電流Ｉｂを検出して定電流充電制御や定電圧充電制御を行う定電流定電圧制御回路とを有している。ここで、充電端子ｔ１，ｔ２間には電池電圧検出用の分圧抵抗Ｒ１，Ｒ２の直列回路が接続されており、分圧抵抗Ｒ１，Ｒ２の接続点はＣＰＵ６のＡ／Ｄ入力端子に接続されている。また、三端子レギュレータＩＣ１の出力端子と、二次電池Ｂが充電器に取り付けられると出力端子間が導通する電池検出用スイッチＳＷ１の一方の出力端子との間には抵抗Ｒ５，Ｒ６の直列回路が接続され、電池検出用スイッチＳＷ１の他方の出力端子は三端子レギュレータＩＣ１のグランド端子に接続されており、抵抗Ｒ５，Ｒ６の接続点はＣＰＵ６の入力端子に接続されている。また三端子レギュレータＩＣ１の出力端子には発光ダイオードＬＥＤ１のアノードが接続され、発光ダイオードＬＥＤ１のカソードはＣＰＵ６の出力端子に接続されている。
【０００７】
また、充電端子ｔ１，ｔ２には電流制限用抵抗Ｒ７を介してＮＰＮ型のトランジスタＱ２のコレクタ端子及びエミッタ端子が夫々接続されており、トランジスタＱ２のベースは抵抗Ｒ８を介して後述する三端子レギュレータＩＣ１の出力端子に接続されている。而して、通電時にはトランジスタＱ２がオンになり、抵抗Ｒ７を介して逆流防止用のダイオードＤ２を導通させることのできる微少なダミー電流が流れるので、二次電池Ｂの正極と負極との間がオープン状態となっている場合でも抵抗Ｒ７及びトランジスタＱ２を介してダミー電流が流れ、ダイオードＤ２が導通する。なお、抵抗Ｒ７及びトランジスタＱ２からなる回路が負荷となって充電された二次電池Ｂが放電するのを防止するため、通電時のみトランジスタＱ２がオンするようになっている。
【０００８】
次に本回路の動作を簡単に説明する。二次電池Ｂが充電器に取り付けられると、電池検出用ＳＷ１の出力端子間が導通して、三端子レギュレータＩＣ１の出力端子間に抵抗Ｒ５，Ｒ６の直列回路が接続され、抵抗Ｒ５，Ｒ６の接続点の電圧Ｖａが５Ｖから所定電圧に低下する。ＣＰＵ６では、抵抗Ｒ５，Ｒ６の接続点の電圧Ｖａをモニタしており、電圧Ｖａが所定電圧に低下すると二次電池Ｂが充電器に取り付けられたと判断する。この時、二次電池Ｂの電池電圧ＶＢは分圧抵抗Ｒ１，Ｒ２によって分圧され、分圧電圧ＶｂはＣＰＵ６のＡ／Ｄ入力端子に入力される。ＣＰＵ６は分圧電圧Ｖｂから二次電池Ｂの電池電圧ＶＢを検出し、電池電圧ＶＢの電圧値に応じて、二次電池Ｂを急速充電する急速充電モード、充電を待機させる充電待機モード、或いは充電動作を強制的に終了させる充電終了モードで充電回路３を動作させる。
【０００９】
ここで、電池電圧ＶＢが急速充電を行う電圧範囲内にある場合（すなわち正常な二次電池Ｂを充電する場合）、ＣＰＵ６は分圧電圧Ｖｂから検出した電池電圧ＶＢに基づいて急速充電モードと判断し、ハイレベルの出力信号Ｓ１をトランジスタＱ１のベースに出力して、トランジスタＱ１をオンさせる。トランジスタＱ１がオンすると、トランジスタＱ１及びダイオードＤ２を介して略一定の充電電流Ｉｂが流れ、二次電池Ｂが充電される。
【００１０】
一方、定電流定電圧検出回路７は抵抗Ｒ４の両端電圧から充電電流Ｉｂを検出すると共に、電池電圧ＶＢを検出しており、図３に示すように電池電圧ＶＢに応じて充電電流Ｉｂを略一定とする定電流充電制御と、電池電圧（充電電圧）ＶＢを略一定とする定電圧充電制御とを行うようにインバータ回路１の出力を制御している。すなわち、電池電圧ＶＢが定電圧充電制御時の電圧Ｖ１よりも低い場合は、定電流定電圧制御回路７は例えばフォトカプラ（図示せず）などを介してインバータ回路１に制御信号を出力し、充電電流が過大に流れるのを防ぎ、充電電流が略一定となるようにインバータ回路１の出力を制御する（定電流充電制御）。一方、二次電池Ｂの充電が進んで、その電池電圧ＶＢが上昇し、定電圧充電制御時の電圧Ｖ１に達すると、定電流定電圧制御回路７は制御信号をインバータ回路１に出力し、充電電流を徐々に減少させて電池電圧ＶＢが電圧Ｖ１になるようにインバータ回路１の出力を制御する。そして、充電電流Ｉｂが所定の電流値Ｉ１まで低下すると、定電流定電圧制御回路７はＣＰＵ７に充電完了信号を出力し、ＣＰＵ６はトランジスタＱ１をオフさせて、充電動作を終了する。
【００１１】
ところで、二次電池Ｂの内部には、二次電池Ｂを構成する１乃至複数のセル以外に異常発生時にセルを保護する保護素子（図示せず）が内蔵されており、二次電池に悪影響を与える諸条件（例えば過充電や電池温度の異常上昇など）が発生すると、保護素子が保護動作を行って二次電池Ｂの正極と負極の間をオープン状態とする。
【００１２】
【発明が解決しようとする課題】
上記充電器では、ＣＰＵ６に電池電圧ＶＢを分圧抵抗Ｒ１，Ｒ２により分圧した分圧電圧Ｖｂが入力されており、この分圧電圧ＶｂからＣＰＵ６は二次電池Ｂの異常状態を判別している。
【００１３】
ここで、正常な二次電池Ｂが充電器に取り付けられた場合、正常な二次電池Ｂを充電する際の電池電圧ＶＢは例えば約５Ｖ〜約８．５Ｖの電圧範囲になるので、ＣＰＵ６は分圧電圧Ｖｂから検出した電池電圧ＶＢに基づいて二次電池Ｂが正常であると判断し、急速充電モードで充電回路３を動作させる。
【００１４】
また、両電極間がショート状態となった二次電池Ｂが充電器に取り付けられた場合、二次電池Ｂの電池電圧ＶＢは略０Ｖであるので、ＣＰＵ６は分圧電圧Ｖｂから検出した電池電圧ＶＢに基づいて二次電池Ｂがショート状態になっていると判断し、トランジスタＱ２をオフさせて、充電動作を強制的に停止させる（充電終了モード）。
【００１５】
一方、保護素子の保護動作によって両電極間がオープン状態となった二次電池Ｂが充電器に取り付けられた場合、充電端子ｔ１，ｔ２間はオープン状態となっているが、通電時にはトランジスタＱ２がオンになり、正極側の充電端子ｔ１には正常な二次電池Ｂの充電完了時と略同じ定電圧充電制御時の電圧Ｖ１が発生し、その電圧を分圧抵抗Ｒ１，Ｒ２で分圧した電圧がＣＰＵ６に入力される。したがって、ＣＰＵ６では、オープン状態になった二次電池Ｂと正常な二次電池Ｂとを判別できないという問題があった。
【００１６】
そこで、トランジスタＱ１をオフとし、充電電流Ｉｂを流していない状態で二次電池Ｂの異常状態を判別することも考えられるが、トランジスタＱ１をオフとした状態で、ＣＰＵ６が分圧電圧Ｖｂを検出すると、オープン状態となった二次電池Ｂの場合、正極側の充電端子ｔ１に発生する電圧は略０Ｖとなるので、分圧抵抗Ｒ１，Ｒ２により分圧した電圧Ｖｂも略０Ｖとなり、オープン状態になった二次電池Ｂとショート状態になった二次電池Ｂとを判別できないという問題があった。
【００１７】
また、ショート状態になった二次電池Ｂが充電器に取り付けられた場合、充電動作を強制的に終了させる必要があるが、例えば二次電池Ｂの温度が高温になったために保護素子が動作して、オープン状態となった二次電池Ｂが充電器に取り付けられた場合は、二次電池Ｂの温度が低下して保護素子の保護動作が解除されるまで充電を待機し、その後急速充電に行わせる必要があり、オープン状態になった二次電池Ｂとショート状態になった二次電池Ｂとを明確に区別する必要があった。
【００１８】
本発明は上記問題点に鑑みて為されたものであり、その目的とするところは、二次電池の異常状態を正確に判別できる充電器を提供することにある。
【００１９】
【課題を解決するための手段】
上記目的を達成するために、請求項１の発明では、直流電源から二次電池に充電電流を供給する充電器において、二次電池の電池電圧を検出する電圧検出手段を有し該電圧検出手段の検出値から二次電池の異常を検出する異常検出部と、異常検出部の検出結果に基づいて二次電池への充電動作を制御する充電制御部と、正常な二次電池を充電する際に二次電池の両極間に発生する電圧よりも低く、且つ、両極間がショート状態となった二次電池が取り付けられた際に二次電池の両極間に発生する電圧よりも高い所定の検出用電圧を二次電池の両極間に印加する検出用電圧印加部とを備えて成ることを特徴とし、検出用電圧印加部は二次電池の両極間に検出用電圧を印加しており、この検出用電圧は正常な二次電池を充電する際に二次電池の両極間に発生する電圧よりも低く、且つ、ショート状態の二次電池が取り付けられた際に二次電池の両極間に発生する電圧よりも高いので、正常な二次電池が充電器に取り付けられた場合と、ショート状態の二次電池が充電器に取り付けられた場合と、両極間がオープン状態となった二次電池が充電器に取り付けられた場合とでそれぞれ二次電池の両極間に発生する電圧が異なるから、異常検出部は電圧検出手段の検出結果から二次電池の状態を正確に検出することができる。
【００２０】
請求項２の発明では、請求項１の発明において、上記充電制御部の動作電圧を生成する制御用電源部を備え、上記検出用電圧印加部は、制御用電源部の出力端と二次電池の正極が接続される接続端子との間に接続されたインピーダンス素子と制御用電源部側に電流が流れるのを防止する逆流防止素子との直列回路から構成されることを特徴とし、オープン状態となった二次電池が充電器に取り付けられると、制御用電源部の出力電圧からインピーダンス素子及び逆流防止素子の電圧降下を差し引いた検出用電圧が二次電池の両極間に印加されるので、異常検出部では電圧検出手段の検出結果から二次電池がオープン状態となっていることを検出でき、且つ、正常な二次電池を充電する際には二次電池の両極間に発生する電圧よりも検出用電圧の方が低いが、逆流防止素子によって制御用電源部側に電流が逆流するのを防止することができる。
【００２１】
請求項３の発明では、請求項２の発明において、上記逆流防止素子は直列接続された複数個のダイオードからなることを特徴とし、複数個のダイオードを直列接続することによって、ダイオードの順方向電圧による電圧降下を大きくし、二次電池の両極間に印加する検出用電圧の電圧値を低下させることができ、正常な二次電池を充電する際に二次電池の両極間に発生する電圧と検出用電圧との電位差を大きくして誤検出を防止することができる。
【００２２】
請求項４の発明では、請求項１の発明において、二次電池の異常状態を表示する異常状態表示部を設けたことを特徴とし、異常状態表示部の表示から二次電池の異常状態を容易に把握することができる。
【００２３】
【発明の実施の形態】
図１は本実施形態の充電器の回路図である。本回路は、所定電圧の交流電圧を発生するインバータ回路１と、インバータ回路１の出力端間に一次巻線ｎ１が接続されるトランスＴ１と、トランスＴ１の二次巻線ｎ２に発生する電圧を整流、平滑して所定電圧の直流電圧を発生する充電用電源回路２と、充電用電源回路２の発生した直流電圧により二次電池Ｂを充電する充電回路３と、トランスＴ１の二次巻線ｎ３に発生する電圧を整流、平滑して一定電圧（例えば約５Ｖ）の直流電圧を発生する制御用電源回路（制御用電源部）４と、制御用電源回路４から電源供給されて充電回路３の充電動作を制御する制御回路５とで構成される。本回路では、上述した図２に示す回路において、トランジスタＱ２及び抵抗Ｒ７，Ｒ８からなる回路の代わりに、正極側の充電端子ｔ１に一端が接続されたインピーダンス素子としての抵抗Ｒ３と、抵抗Ｒ３の他端と三端子レギュレータＩＣ１の出力端子との間に接続された逆流防止素子としてのダイオードＤ４，Ｄ５の直列回路とから構成される回路を設けており、ダイオードＤ４，Ｄ５はアノードを三端子レギュレータＩＣ１の出力端子側、カソードを抵抗Ｒ３側にして接続され、充電回路３から制御用電源回路４側に電流が流れるのを防止している。ここに、制御回路５のＣＰＵ６から異常検出部及び充電制御部が構成され、分圧抵抗Ｒ１，Ｒ２から電圧検出手段が構成される。尚、抵抗Ｒ３及びダイオードＤ４，Ｄ５からなる回路以外の構成は上述した図２の回路と同様であるので、その説明は省略する。
【００２４】
ここで、抵抗Ｒ３及びダイオードＤ４，Ｄ５からなる検出用電圧印加回路（検出用電圧印加部）３ａによって、正極側の充電端子ｔ１には、正常な二次電池Ｂを充電する際に発生する電圧（例えば約５Ｖ〜約８．５Ｖ）よりも低く、且つ、ショート状態になった二次電池Ｂの電池電圧ＶＢの電圧範囲（例えば約３Ｖ以下）よりも高い所定の検出用電圧が与えられており、この検出用電圧は三端子レギュレータＩＣ１の出力電圧（約５Ｖ）からダイオードＤ４，Ｄ５の順方向電圧の和（約１．５Ｖ）を差し引いた電圧（約３．５Ｖ）になる。なお、本実施形態では２個のダイオードＤ４，Ｄ５を直列接続しており、ダイオードＤ４，Ｄ５の順方向電圧による電圧降下を大きくして、検出用電圧印加回路３ａが発生する検出用電圧と、正常な二次電池Ｂを充電する際に発生する電圧の下限値（約５Ｖ）との電位差を大きくすることによりＣＰＵ６の誤検出を防止しているが、ダイオードが１個のみでも問題はない。
【００２５】
したがって、正常な二次電池Ｂが充電器に取り付けられた場合、正常な二次電池Ｂを充電する際に二次電池Ｂの両端間に発生する電圧（電池電圧ＶＢ）は約５Ｖ〜約８．５Ｖとなり、三端子レギュレータＩＣ１の出力電圧（約５Ｖ）よりも高いので、ダイオードＤ４，Ｄ５はオフ状態となる。而してＣＰＵ６では、分圧電圧Ｖｂから電池電圧ＶＢが約５Ｖ〜約８．５Ｖの電圧範囲内であることを検出し、二次電池Ｂが正常であると判断して、二次電池Ｂの充電動作を行う。
【００２６】
また、ショート状態になった二次電池Ｂが充電器に取り付けられた場合、二次電池Ｂの両極間に発生する電圧は約３Ｖ以下になるので、ＣＰＵ６では分圧電圧Ｖｂから電池電圧ＶＢが３Ｖ以下であることを検出し、二次電池Ｂがショート状態にあると判断して、充電動作を強制的に終了させるとともに、異常状態表示部としての発光ダイオードＬＥＤ１を点灯させて、ユーザに二次電池Ｂの異常状態を報知する。
【００２７】
一方、保護素子の保護動作によってオープン状態になった二次電池Ｂが充電器に取り付けられた場合、充電端子ｔ１，ｔ２間はオープン状態となっているので、ダイオードＤ４，Ｄ５が導通して、二次電池Ｂの両極間に三端子レギュレータＩＣ１の出力電圧（約５Ｖ）からダイオードＤ４，Ｄ５の順方向電圧の和（約１．５Ｖ）を差し引いた検出用電圧（約３．５Ｖ）が印加される。ここで、ＣＰＵ６は分圧電圧Ｖｂから電池電圧ＶＢを検出しており、その検出値が正常な二次電池Ｂが取り付けられた場合に発生する電圧（約５Ｖ〜約８．５Ｖ）よりも低く、且つ、ショート状態になった二次電池Ｂが取り付けられた場合に発生する電圧（約３Ｖ以下）よりも高くなることから、二次電池Ｂがオープン状態になっていると判断し、充電回路３による充電動作を待機させるとともに、発光ダイオードＬＥＤ１を点灯させて、ユーザに二次電池Ｂの異常状態を報知する。その後、保護素子による保護動作が解除されると、正極側の充電端子ｔ１に発生する電圧は、正常な二次電池Ｂが充電器に取り付けられた際に発生する電圧（約５Ｖ〜約８．５Ｖ）となるので、ＣＰＵ６では分圧電圧Ｖｂから電池電圧ＶＢを検出して、二次電池Ｂが正常であると判断し、トランジスタＱ１をオンさせて、急速充電モードで充電回路３を動作させる。
【００２８】
このように本回路では、抵抗Ｒ３及びダイオードＤ４，Ｄ５からなる検出用電圧印加回路３ａによって、二次電池Ｂの両極間に約３．５Ｖの検出用電圧が印加されており、正極側の充電端子ｔ１には、オープン状態になった二次電池Ｂが充電器に取り付けられた場合と、正常な二次電池Ｂが充電器に取り付けられた場合の電圧と、ショート状態になった二次電池Ｂが充電器に取り付けられた場合とで、それぞれ異なる電圧が発生するので、正極側の充電端子ｔ１に発生する電圧を検出することによって、二次電池Ｂが正常か、ショート状態になっているか、或いはオープン状態になっているかを明確に判別することができる。したがって、ＣＰＵ１では二次電池Ｂの状態に応じて、正常な二次電池Ｂが充電器に取り付けられた場合は急速充電モードで充電回路３を動作させ、ショート状態になった二次電池Ｂが充電器に取り付けられた場合は充電回路３の充電動作を強制的に終了させ、オープン状態になった二次電池Ｂが充電器に取り付けられた場合は充電回路３の充電動作を待機させることができる。
【００２９】
また、充電端子ｔ１，ｔ２が変形したり、充電端子ｔ１，ｔ２に異物が付着したりして、二次電池Ｂの端子と充電端子ｔ１，ｔ２との間の接触不良が発生した場合にも、充電端子ｔ１，ｔ２間がオープン状態となるため、正極側の充電端子ｔ１には抵抗Ｒ３及びダイオードＤ４，Ｄ５からなる検出用電圧印加回路３ａによって約３．５Ｖの電圧が発生し、ＣＰＵ６では分圧電圧Ｖｂから充電端子ｔ１，ｔ２間がオープン状態になっていることを検出できる。
【００３０】
また、従来の充電回路では、二次電池Ｂが接続されていない状態でも、抵抗Ｒ７，Ｒ８及びトランジスタＱ２から構成される回路によって、電源供給時にはダミー電流が流れるため、抵抗Ｒ７が発熱して損失が発生するが、本実施形態の充電回路では、抵抗Ｒ７及びトランジスタＱ２を介して電流が流れる経路をなくしているので、充電時以外（待機時）に発生する損失（待機電力）を低減することができる。
【００３１】
【発明の効果】
上述のように、請求項１の発明は、直流電源から二次電池に充電電流を供給する充電器において、二次電池の電池電圧を検出する電圧検出手段を有し該電圧検出手段の検出値から二次電池の異常を検出する異常検出部と、異常検出部の検出結果に基づいて二次電池への充電動作を制御する充電制御部と、正常な二次電池を充電する際に二次電池の両極間に発生する電圧よりも低く、且つ、両極間がショート状態となった二次電池が取り付けられた際に二次電池の両極間に発生する電圧よりも高い所定の検出用電圧を二次電池の両極間に印加する検出用電圧印加部とを備えて成ることを特徴とし、検出用電圧印加部は二次電池の両極間に検出用電圧を印加しており、この検出用電圧は正常な二次電池を充電する際に二次電池の両極間に発生する電圧よりも低く、且つ、ショート状態の二次電池が取り付けられた際に二次電池の両極間に発生する電圧よりも高いので、正常な二次電池が充電器に取り付けられた場合と、ショート状態の二次電池が充電器に取り付けられた場合と、両極間がオープン状態となった二次電池が充電器に取り付けられた場合とでそれぞれ二次電池の両極間に発生する電圧が異なるから、異常検出部は電圧検出手段の検出結果から二次電池の状態を正確に検出することができ、充電制御部では異常検出部の検出結果に応じて二次電池の充電動作を制御できるという効果がある。さらに、従来の充電回路では二次電池が接続されていなくても、商用交流電源が供給されると充電端子間にダミー電流が流れて、損失が発生するが、本発明の充電回路ではダミー電流を流す回路を無くしているので、二次電池が接続されていない状態（待機時）で発生する損失（待機電力）を低減することができるという効果もある。
【００３２】
請求項２の発明は、請求項１の発明において、上記充電制御部の動作電圧を生成する制御用電源部を備え、上記検出用電圧印加部は、制御用電源部の出力端と二次電池の正極が接続される接続端子との間に接続されたインピーダンス素子と制御用電源部側に電流が流れるのを防止する逆流防止素子との直列回路から構成されることを特徴とし、オープン状態となった二次電池が充電器に取り付けられると、制御用電源部の出力電圧からインピーダンス素子及び逆流防止素子の電圧降下を差し引いた検出用電圧が二次電池の両極間に印加されるので、異常検出部では電圧検出手段の検出結果から二次電池がオープン状態となっていることを検出でき、且つ、正常な二次電池を充電する際には二次電池の両極間に発生する電圧よりも検出用電圧の方が低いが、逆流防止素子によって制御用電源部側に電流が逆流するのを防止できるという効果がある。
【００３３】
請求項３の発明は、請求項２の発明において、上記逆流防止素子は直列接続された複数個のダイオードからなることを特徴とし、複数個のダイオードを直列接続することによって、ダイオードの順方向電圧による電圧降下を大きくし、二次電池の両極間に印加する検出用電圧の電圧値を低下させることができ、正常な二次電池を充電する際に二次電池の両極間に発生する電圧と検出用電圧との電位差を大きくして誤検出を防止できるという効果がある。
【００３４】
請求項４の発明は、請求項１の発明において、二次電池の異常状態を表示する異常状態表示部を設けたことを特徴とし、異常状態表示部の表示から二次電池の異常状態を容易に把握できるという効果がある。
【図面の簡単な説明】
【図１】本実施形態の充電器の回路図である。
【図２】従来の充電器の回路図である。
【図３】同上の充電器の充電動作を説明する説明図である。
【符号の説明】
３  充電回路
３ａ  検出用電圧印加回路
４  制御用電源回路
５  充電制御回路
６  ＣＰＵ
Ｂ  二次電池
Ｄ４，Ｄ５  ダイオード
Ｒ１，Ｒ２  分圧抵抗
Ｒ３  抵抗
ｔ１  充電端子
ＶＢ  電池電圧
Ｖｂ  分圧電圧
【図１】
0003633353.tif 000002
【図２】
0003633353.tif 000003
【図３】
0003633353.tif 000004